(57)【特許請求の範囲】
【請求項１】
食品を調理する容器（１４）の取っ手を取り付けたり取り外したりするシステム（１０）であって、
‐締結手段（１６）により前記容器（１４）の壁に固定的に取り付けられるよう構成されたベース部分（１２）を有し、前記ベース部分（１２）は、前記ベース部分（１２）の内部キャビティ（２２）と連通関係をなして配置された少なくとも１つの第１の上側取り付け手段（１８）及び少なくとも１つの第２の下側取り付け手段（２０）を有し、
‐前記ベース部分（１２）の前記内部キャビティ（２２）と形状結合されるよう構成された端突出部（２８）を有する取っ手部分（２６）を有し、前記端突出部（２８）は、前記ベース部分（１２）の前記第１の上側取り付け手段（１８）に係合するよう構成された少なくとも１つの固定締結手段（３０）を有し、
‐前記取っ手部分（２６）の内側に配置されると共に前記ベース部分（１２）の前記第２の下側取り付け手段（２０）に取り外し可能に係合するよう構成された少なくとも１つの可動締結手段（３２）を有し、
‐前記可動締結手段（３２）を作動させることができる解除ボタン（３６）を有し、前記解除ボタン（３６）は、前記取っ手部分（２６）に対する回転手段（３８，４０）を備えると共に弾性要素（４２）を介して前記取っ手部分（２６）に可動的に連結されており、前記取っ手部分（２６）は、全体として、前記解除ボタン（３６）の作動に続き、前記容器（１４）に対する前記取っ手部分（２６）の取り付け及び／又は取り外しを可能にするよう前記ベース部分（１２）に対して回転可能であると共に取り外し可能である、システム（１０）において、
前記ベース部分（１２）は、耐熱プラスチック材料から単一品として作られ、前記取っ手部分（２６）と前記端突出部（２８）と前記固定締結手段（３０）は、耐熱プラスチック材料から単一品として作られ、前記可動締結手段（３２）は、前記端突出部（２８）のところで前記取っ手部分（２６）に作られた適当なチャネル（３４）内で並進することによって動く舌部の形態に作られている、システム（１０）。
【請求項２】
前記解除ボタン（３６）は、前記容器（１４）の位置に対して前記回転手段（３８，４０）のそれぞれの下流側に配置された第１の前側部分（４６）及び前記容器（１４）の位置に対して前記回転手段（３８，４０）のそれぞれの上流側に配置された第２の後側部分（４８）を有し、前記前側部分（４６）は、前記弾性要素（４２）を介して前記取っ手部分（２６）に可動的に連結され、前記後側部分（４８）は、前記舌部（３２）に回転可能に連結されている、請求項１記載のシステム（１０）。
【請求項３】
前記解除ボタン（３６）と前記舌部（３２）は、２つの別々のコンポーネントであり、前記舌部（３２）は、前記解除ボタン（３６）の前記後側部分（４８）のところにヒンジ止めされている、請求項２記載のシステム（１０）。
【請求項４】
前記舌部（３２）は、金属材料で作られ、前記解除ボタン（３６）は、プラスチック材料で作られている、請求項３記載のシステム（１０）。
【請求項５】
前記解除ボタン（３６）と前記舌部（３２）は、プラスチック又は金属材料から一体品として作られ、前記解除ボタン（３６）及び前記舌部（３２）は、これらの往復回転運動を可能にする可撓性接触壁（５０）を備えている、請求項２記載のシステム（１０）。
【請求項６】
前記解除ボタン（３６）の前記回転手段（３８，４０）は、前記取っ手部分（２６）内に形成された適当な受座（４０）に嵌まり込む一対の互いに反対側にある側部ピン（３８）から成る、請求項１〜５のうちいずれか一に記載のシステム（１０）。
【請求項７】
前記弾性要素（４２）は、端部が前記取っ手部分（２６）に形成された止まり穴（４４）内に締り嵌めにより挿入されていて、圧縮により動作するねじりばねの形態に作られている、請求項１〜６のうちいずれか一に記載のシステム（１０）。
【請求項８】
前記解除ボタン（３６）は、その前側部分（４６）とその後側部分（４８）との間に、前記容器（１４）に対する前記取っ手部分（２６）の取り付け及び／又は取り外しを可能にするために前記前側部分（４６）に作用する必要性をユーザに知らせるのに有用な突起（５６）を備えている、請求項２〜７のうちいずれか一に記載のシステム（１０）。
【請求項９】
前記ベース部分（１２）の前記第１の上側取り付け手段（１８）は、貫通穴の形態に作られている、請求項１〜８のうちいずれか一に記載のシステム（１０）。
【請求項１０】
前記ベース部分（１２）の前記第２の下側取り付け手段（２０）は、貫通穴の形態に作られている、請求項１〜９のうちいずれか一に記載のシステム（１０）。
【請求項１１】
前記取っ手部分（２６）の前記端突出部（２８）の前記固定締結手段（３０）は、歯の形態に作られている、請求項１〜１０のうちいずれか一に記載のシステム（１０）。
【請求項１２】
前記取っ手部分（２６）の前記端突出部（２８）上に、前記端突出部（２８）と一体に１つ又は２つ以上の別の突出部（５２）が形成されており、前記別の突出部（５２）は、前記ベース部分（１２）の前記内部キャビティ（２２）内に作られた対応する凹部（５４）の内側に形状結合により嵌まり込む、請求項１〜１１のうちいずれか一に記載のシステム（１０）。
【請求項１３】
前記締結手段（１６）は、前記ベース部分（１２）の前記内部キャビティ（２２）内に収納されていて、前記容器（１４）に係合するよう前記ベース部分（１２）から突き出る単一のねじ又はリベットから成る、請求項１〜１１のうちいずれか一に記載のシステム（１０）。
【請求項１４】
前記ベース部分（１２）は、前記ベース部分（１２）と前記ベース部分（１２）が取り付けられた前記容器（１４）の外側側壁との間の形状結合を作るのに適したリングナット（２４）を備えている、請求項１〜１３のうちいずれか一に記載のシステム（１０）。
【発明の詳細な説明】
【技術分野】
【０００１】
本発明は、食品を調理する容器、特にフライパン（これには限定されない）の取っ手を取り付けたり取り外したりするシステムに関する。
【背景技術】
【０００２】
公知のように、一般に食品を調理するようになった最もありふれた容器、例えばフライパン、ソースパン及びシチューパンのような容器は、容器が満杯且つ高温である場合であってもこれらを容易に保持することができるようにする取っ手を備えている。特に、フライパンは、通常、好ましくはポリマー材料で作られた単一の細長い取っ手を備えており、この取っ手は、フライパンの側壁から半径方向に片持ち状態で延びると共にねじ又はリベットによってフライパンの側壁に固定されている。
【０００３】
フライパン又は他の類似の容器の占める全体的スペースを減少させるため、例えば、これら容器を冷蔵庫、オーブン内に収納し又は洗浄のために下処理する必要がある場合、容器の側壁への取り付け及びこれからの取り外しのために幾分複雑な手段を備えた多くの形式の着脱可能な取っ手が提案された。取り外し可能な取っ手が設けられていることにより、例えば、持ち運びステップと保管ステップの両方においてしかも家庭での使用中に容器を容易に操作することができると共に多くの互いに異なる容器に同一の取っ手を用いることができ又はこれと逆の関係にし、更に同一の容器の取っ手をその意図した使用に応じて交換することができるというような別の利点も又提供される。
【発明の概要】
【発明が解決しようとする課題】
【０００４】
したがって、調理一般を行うための容器のための種々の形式の取り外し可能な取っ手を記載した多くの公開された特許文献が存在する。しかしながら、多くの場合、先行技術のかかる取り外し可能な取っ手は、製造と使用の両方についてかなり複雑であることが判明している。さらに、これら取っ手は、特別に製作された調理容器との結合を必要とする取っ手であり、換言すると、通常市場には出ていない形式の特定の取り付け手段を備えている。
【０００５】
したがって、本発明の一般的な目的は、食品を調理する容器、特にフライパン（これには限定されない）の取っ手を取り付けたり取り外したりするシステムであって、先行技術の上述の欠点を極めて単純に、費用効果良く、しかも特に機能的に解決することができるシステムを製作することにある。特に、本発明の目的は、コンポーネントの数が制限された状態でユーザによる単純、安全且つ直感で分かる使用を可能にする食品を調理する容器の取っ手を取り付けたり取り外したりするシステムを製作することにある。
【０００６】
本発明の別の目的は、食品を調理する容器の取っ手を取り付けたり取り外したりするシステムであって、市場に既に見受けられる形式のソースパン、フライパン及び他の類似の容器に適合可能なシステムを製作することにある。
【０００７】
本発明の別の目的は、使用するのが特に簡単であり且つ製造するのに費用効果の良い食品を調理する容器の取っ手を取り付けたり取り外したりするシステムを製作することにある。
【課題を解決するための手段】
【０００８】
本発明のこれら目的は、請求項１に記載された食品を調理する容器の取っ手を取り付けたり取り外したりするシステムを製作することによって達成される。
【０００９】
本発明の別の特徴は、本明細書の一体部分である従属形式の請求項によって強調されている。
【００１０】
本発明の食品を調理する容器の取っ手を取り付けたり取り外したりするシステムの特徴及び利点は、本発明を限定する目的ではなく一例として挙げられていて、添付の図面を参照して行われる以下の説明から明らかになるはずである。
【図面の簡単な説明】
【００１１】
【図１】本発明の第１の例示の実施形態としての食品を調理する容器の取っ手を取り付たり取り外したりするシステムのコンポーネントの全てを示す分解組立て図である。
【図２】食品を調理する一般的容器に取り付けられた形態にある図１の取り付け・取り外しシステムの上から見た平面図である。
【図３】図２のＡ‐Ａ線矢視断面図である。
【図４】図１の取り付け・取り外しシステムの下から見た平面図である。
【図５】図１の取り付け・取り外しシステムの使用法の互いに異なる動作ステップ（５Ａ，５Ｂ，５Ｃ）を示す図である。
【図６】図５ＡのＢ‐Ｂ線矢視断面図である。
【図７】図５Ａ〜図５Ｃにそれぞれ示された同一の動作ステップ（７Ａ，７Ｂ，７Ｃ）を示す断面図である。
【図８】図７Ｂの参照符号Ｃで示された細部の拡大断面図である。
【図９】本発明の第２の例示の実施形態としての食品を調理する容器の取っ手を取り付たり取り外したりするシステムのコンポーネントの全てを示す分解組立て図である。
【発明を実施するための形態】
【００１２】
図を参照すると、本発明に従って構成された食品を調理する容器の取っ手を取り付けたり取り外したりするシステムが全体を参照符号１０で示されている。
【００１３】
システム１０は、第１に、汎用形式の、即ち、食品を調理する一般的容器１４（図２）、例えばフライパンのような容器の壁に締結手段１６を介して固定的に取り付けられるよう構成されたベース部分１２を有している。ベース部分１２は、有利には、耐熱プラスチック材料から単一品として作られると共に最高約２４０°の温度に耐えるよう構成され、かくして任意種類のオーブン又は皿洗い機内での使用に適している。
【００１４】
ベース部分１２は、内部が中空であり、かくして、真っ直ぐに又はそうではない状態で貫通して延びていて、ベース部分１２それ自体の内部キャビティ２２（図３）と連通関係をなして配置された穴の形態に作られた少なくとも１つの第１の上側取り付け手段１８及び少なくとも１つの第２の下側取り付け手段２０（図４）を有している。
【００１５】
締結手段１６は、実質的に、技術の現状で知られている形式のものであり、図示の例示の実施形態の場合と同様、ベース部分１２の内部キャビティ２２内に収納されていて、それ自体知られている仕方で容器１４に係合するようベース部分１２から突き出る単一のねじ又はリベットから成っている。ねじ１６又は他の類似の締結手段は、システム１０全体と容器１４との間の唯一の連結要素なので、かかるシステム１０を、これに特定の取り付け部分を設ける必要なく、市場に存在している任意形式の公知の容器と組み合わせることができるということが明らかである。
【００１６】
ベース部分１２は、最終的に、ベース部分１２それ自体とかかるベース部分１２が取り付けられている容器１４の通常は凸状の外側側壁との間に形状結合関係を作るのに適した好ましくは金属製のリングナット２４を備えるのが良い。
【００１７】
システム１０は、取っ手部分２６を更に有し、この取っ手部分は、任意の形状に作ることができるが、好ましくは、特に容器１４が大径のフライパンから成ると共に取っ手２６が容器を保持する唯一の手段である場合、容器１４を容易に保持することができるよう弓形であり且つ細長い形状を有するのが良い。取っ手２６は又、耐熱プラスチック材料で作られると有利であり、かかる耐熱プラスチック材料は、ベース部分１２の構成材料と同一であっても良く又は同一でなくても良く、取っ手２６は、図３の断面図に示されているようにベース部分１２の内部キャビティ２２と形状結合されるよう構成された端突出部２８を有している。端突出部２８は、取っ手２６と一体に形成され、この端突出部は、これと一体に形成された歯の形態をした少なくとも１つの固定締結手段３０を有し、かかる固定締結手段３０は、ベース部分１２の穴の形態をした第１の上側取り付け手段１８と嵌合するよう構成されている。したがって、取っ手２６の内部には、ベース部分１２の第２の下側取り付け手段２０と取り外し可能に係合するよう構成された少なくとも１つの可動締結手段３２が設けられている。可動締結手段３２は、取っ手２６に、その端突出部２８のところに形成された適当なチャネル３４（図８）内で並進によって動く舌部の形態に作られており、かかる可動締結手段は、解除ボタン３６によりその運動が制御される。解除ボタン３６は、取っ手２６に対する回転手段を備え、かかる回転手段は、例えば、取っ手２６それ自体の内部に形成された適当な受座４０に嵌まり込む一対の互いに反対側にある側部ピン３８から成る。
【００１８】
解除ボタン３６は又、例えば圧縮により動作するねじりばねのような弾性要素４２を介して取っ手２６に可動的に連結されている。図示の例示の実施形態によれば、ねじりばね４２は、その端部が、取っ手２６に形成されている止まり穴４４内に締り嵌めにより挿入される。
【００１９】
詳細を説明すると、解除ボタン３６は、容器１４の位置に関して回転手段３８，４０のそれぞれの下流側に配置された第１の前側部分４６及びこの場合も又容器１４の位置に関して回転手段３８，４０のそれぞれの上流側に配置された第２の後側部分４８を有する。前側部分４６は、弾性要素４２を介して取っ手部分２６に可動的に連結され、後側部分４８は、舌部３２に回転可能に連結されている。
【００２０】
図１〜図８に示されているシステム１０の第１の例示の実施形態によれば、解除ボタン３６と舌部３２は、２つの別々のコンポーネントであり、金属材料で作られた舌部３２は、プラスチック材料で作られた解除ボタン３６の後側部分４８のところにヒンジ止めされている（図８）。
【００２１】
他方、図９に示されているシステム１０の第２の例示の実施形態を参照すると、解除ボタン３６及び舌部３２は、プラスチック又は金属材料から単一品として作られており、これらは、その往復回転運動を可能にする可撓性の接触壁５０を備えている。
【００２２】
取り付け・取り外しシステム１０が使用形態にあるとき又は換言すると取っ手２６がベース部分１２に連結され、その結果、容器１４（図５Ａ及び図７Ａ）に連結されているとき、解除ボタン３６は、舌部３２がベース部分１２の第２の下側取り付け手段２０に係合する動作位置に弾性要素４２により保たれ、これに対し、締結歯３０は、ベース部分１２それ自体の第１の上側取り付け手段１８に嵌まり込む。好ましくは、取っ手２６とベース部分１２の結合をシステム１０の使用形態において安定状態にするため、図３の断面図に示されているように、取っ手部分２６の端突出部２８上に、端突出部２８と一体に１つ又は２つ以上の別の突出部５２が形成されており、かかる突出部５２は、ベース部分１２の内部キャビティ２２内に作られた対応する凹部５４の内側に形状結合により嵌まり込む。
【００２３】
或る特定の圧力を解除ボタンの前側部分４６に及ぼすことにより解除ボタン３６を作動させることによって弾性要素４２を弾性的に変形させることができる。解除ボタン３６の前側部分４６と後側部分４８との間で解除ボタン３６に突起５６が設けられていることは、フライパンの方に向いた後側部分４８ではなく、取っ手２６の握りの最も近くに位置する前側部分４６に作用する必要性をユーザに示すのに有用な場合があり、これは、安全性の点で明らかな利点である。
【００２４】
かくして、解除ボタン３６自体の回転手段３８，４０回りに回転する解除ボタン３６の作動により、舌部３２は、左側に動き、その結果、ベース部分１２の第２の下側取り付け手段（穴）２０から離脱する。したがって、この時点において、取っ手２６を図５Ｂ及び図７Ｂの矢印Ａにより示された方向にベース部分１２に対して回転させ始めることが可能である。
【００２５】
舌部３２がベース部分１２の穴２０からいったん離脱してしまえば、解除ボタン３６を放すことが可能であるが、引き続きベース部分１２に対する取っ手２６の相対回転を続けて歯３０も又ベース部分１２（図５Ｃ及び図７Ｃ）の第１の上側取り付け手段（穴）１８から離脱させる。かくして、取っ手２６をそれぞれのベース部分１２から完全に取り外すことが可能になっている。
【００２６】
他方、上述したのと同じ操作を逆に行うことにより、取っ手２６を再び容易且つ直感で分かる仕方でそれぞれのベース部分１２に再び取り付けることができよう。しかしながら、注目されるべきこととして、ベース部分１２への取っ手２６の取り付け操作の際、解除ボタン３６を作動させることは不要である。というのは、舌部３２とベース部分１２それ自体の穴２０との間の結合は、ねじりばね４２の弾性により、キャッチによって可能だからである。このこと全ては、システム１０の実用性及び使用速度に関する利点に寄与することは明らかである。
【００２７】
かくして、本発明に従って食品を調理する容器の取っ手を取り付けたり取り外したりするシステムが上記において強調された目的を達成することが分かる。
【００２８】
上述のように案出された本発明の食品を調理する容器の取っ手を取り付けたり取り外したりするシステムは、いずれにせよ、多くの改造及び変形が可能であり、これらは全て、同一の本発明の概念に含まれ、細部の全ては、技術的に均等な要素で置き換え可能である。
【００２９】
したがって、本発明の保護範囲は、特許請求の範囲の記載に基づいて定められる。
【図１】
0005662419.tif 000002
【図２】
0005662419.tif 000003
【図３】
0005662419.tif 000004
【図４】
0005662419.tif 000005
【図５Ａ】
0005662419.tif 000006
【図５Ｂ】
0005662419.tif 000007
【図５Ｃ】
0005662419.tif 000008
【図６】
0005662419.tif 000009
【図７Ａ】
0005662419.tif 000010
【図７Ｂ】
0005662419.tif 000011
【図７Ｃ】
0005662419.tif 000012
【図８】
0005662419.tif 000013
【図９】
0005662419.tif 000014